(57)【特許請求の範囲】
【請求項１】
複数枚のシート片からなり、シート片それぞれは該シート片を重ね合わせた時の対向面の少なくとも一方に所要の接着条件の付与により剥離可能に接着する弱接着手段が設けられた重ね合わせ接着用シートであって、シート片を重ね合わせたときに外部に位置するシート片の見開き辺側の一隅に、シート片中心側に向けて凸となるように曲成されたスリットにより摘み片が捲り上げ可能に切り込み形成され、前記スリットの両端部それぞれが、該両端部の間に対して逆方向に曲成されていることを特徴とする重ね合わせ接着用シート。
【発明の詳細な説明】
【０００１】
【発明の属する技術分野】
本発明は、重ね合わせシートを得るための重ね合わせ接着用シートに関するものである。
【０００２】
近年においては、郵送コストが安い葉書の形態で多くの情報が送れるようにするため、複数枚のシート片を剥離可能に接合した形式の葉書が利用されており、受取人がその葉書のシート片を開くことで郵送時には隠れていた情報を確認することができるものとなっている。そして、このような葉書においては受取人が見開き操作し易いようにした工夫が提案されており、図６に示すように重ね合わせて葉書を構成する複数枚のシート片ａのうち外部、例えば葉書表面となるシート片や葉書裏面となるシート片の一隅にコーナーカットｂを設け、このコーナーカットｂの部分を指掛かりとしてつまみ易くし、接着されているシート片の見開き操作が簡単に行なえるようにした工夫が提案されている。
【０００３】
ところで、上記葉書を連続的に多く作成する場合、図７に示すように、葉書を構成する複数のシート片ａからなるシートｃを一単位として複数単位が連続した連続シートが用意され、そして、その連続シートでは上記コーナーカットを得るために予め所要のシート片ａの一隅側に打ち抜き孔ｄが設けられている。しかし、この打ち抜き孔ｄを有した連続シートにおける各シートｃの所定位置それぞれに宛名情報、通知情報などを設ける際に電子写真方式のプリンタ装置を用いて出力するようにしているため、シートｃへトナーを転移する際にその打ち抜き孔ｄと電子写真方式の感光体との間で放電が生じ、その感光体の寿命が短くなるという問題があった。また、作成された葉書にあっても、この葉書の郵送過程でコーナーカットｂの段差に他の葉書などが引っ掛ってシート片が剥離するという問題もあった。なお、図６において、ｅは最上部のシートｃを見開き可能に綴じ合わせるための強接着手段を示し、図７において、ｆは切断除去のための切断予定線を示している。
そこで本発明は上記事情に鑑み、重ね合わせ前の重ね合わせ接着用シートに孔を設けることなく重ね合わせシートでの見開きの手助けとなる部分が得られるようにすることを課題とし、重ね合わせ接着用シートのプリンタ適性を良好にして適正に情報出力が行われるようにすることを目的とする。
【０００４】
【課題を解決するための手段】
本発明は上記課題を考慮してなされたもので、複数枚のシート片からなり、シート片それぞれは該シート片を重ね合わせた時の対向面の少なくとも一方に所要の接着条件の付与により剥離可能に接着する弱接着手段が設けられた重ね合わせ接着用シートであって、シート片を重ね合わせたときに外部に位置するシート片の見開き辺側の一隅に、シート片中心側に向けて凸となるように曲成されたスリットにより摘み片が捲り上げ可能に切り込み形成され、前記スリットの両端部それぞれが、該両端部の間に対して逆方向に曲成されていることを特徴とする重ね合わせ接着用シートを提供して、上記課題を解消するものである。
【０００５】
【発明の実施の形態】
つぎに本発明を図１から図５に示す実施の形態に基づいて詳細に説明する。
図１は重ね合わせ接着用シート１の一例を示しているもので、図１に示すように該重ね合わせ接着用シート１は葉書の形態となる重ね合わせシートが得られるように三枚のシート片２、３、４が折り用ミシン目からなる折り部５を介して一連にして連接されている。この重ね合わせ接着用シート１ではＺ状に折り畳むことで前記シート片２、３、４を重ね合わせるようにしており、重ね合わせたときの前記三片における対向面６それぞれには加圧するなどの所要の接着条件を付与することで剥離可能に接着する弱接着手段７が設けられている。なお、前記弱接着手段７は重ね合わせ時に相対する対向面６の内、いずれか一方にのみ設けるようにしてもよい。
【０００６】
図中８は切断予定線であり、上記重ね合わせ接着用シート１のシート片２、３、４のそれぞれに、後述する重ね合わせシートの見開き側となる同一辺側に沿って重ね合わせ時に重なる位置にして設けられている（図２（イ）参照）。さらに重ね合わせ接着用シート１をＺ状に折り畳むようにして三片２、３、４を重ね合わせた時に外部となるシート２、４とには、前記切断予定線８よりシート片中心側であって前記重ね合わせシート形態における見開き側の辺部の一隅に摘み片９が設けられている。
上記摘み片９は、シート２、４にシート片中心側に向けて凸となるようにＵ字型状、或いは山型状に曲成されたスリット１０を入れ、このスリット１０により捲り上げ可能に切り込み形成されているものであり、後述するように摘み片９を摘み持って引張るときに裂けを生じさせないために、スリット１０の両端部１１それぞれが、該両端部１１の間に対して逆方向に曲成されている。
【０００７】
上記重ね合わせ接着用シート１において上記シート片２の幅寸法は重ね合わせした時に相対するシート片３の幅寸法より小さく設定されていて、上記折り部５からＺ状に折り畳んだ際、シート片３におけるシート片４側の辺部がシート片２の側方から表出するように設けられている。そして、このシート片３におけるシート片４側の辺部に葉書表示部１２が位置していて、折り畳んだときに前記葉書表示部１２が外部から見えるようにしている。
さらに、図２に示すように、この重ね合わせ接着用シート１から得る重ね合わせシートにあってはシート片３とシート片４との間の折り部５側を中心として見開きできるようにするもので、このためにシート片２とシート片３との対向面６中、重ね合わせしたときに前記葉書表示部１２側となる辺部それぞれに所要の接着条件の付与により剥離困難に接着する強接着手段１３の塗布位置１３ａが設けられていて、後述の重ね合わせシートとなったときにはシート片２とシート片３とがこの強接着手段１３にて綴じ合わされた状態にして見開きできるようにしている。
上記弱接着手段７と強接着手段１３とは適宜に構成できるもので、例えば、弱接着手段７と強接着手段１３とをそれぞれ同じ接着剤を用いて前記弱接着手段７側においてはその接着剤塗布部分にベタ印刷や網点印刷による接着力調整用の加工を施したものとして構成することができる。また、強接着手段１３は弱接着手段７とは別の接着剤を塗布して構成するようにしてもよい。
【０００８】
上記重ね合わせ接着用シート１から見開きできる葉書形態の重ね合わせシートを得るにあたっては、まず、重ね合わせ接着用シート１をプリンタ装置に送り込んで各シート片２、３、４の所要位置に情報を出力する。このとき重ね合わせ接着用シート１のプリント面部分には孔がなく、電子写真方式のプリンタ装置を用いて適正な情報出力が行われるようになる。この後、強接着手段１３を施しながらＺ状に折り畳んでシート片２、３、４を重ね合わせる。この例ではＺ状の折り時に強接着手段１３を施すようにしていて、弱接着手段７にあっては予め上記対向面の所定部分に設けられたものとしている。つぎにこの重ね合わせ状態で上記切断予定線８から、シート片２とシート片３との間の折り部５側やシート片４の側辺を切断除去する。この切断予定線８と上記スリット１０とは所定の距離を取って離れており、スリット１０の部分が切り落とされることはない（図２（ロ）参照）。そして、この後、重ね合わせ接着用シート１を所要の接着条件である加圧を行なって重ね合わせシート１４を得る。
上記重ね合わせシート１４ではシート片２とシート片４との見開き側の一隅に摘み片９が捲り上げ可能に位置しており、図３に示すようにこの摘み片９を起こして摘み持つようにして引っ張ることで最初にこの摘み片９周りがシート片３から剥離し始め、摘み片９を引き続けることで剥離部分が一隅側から広がってシート片２、４が剥離するようになり、シート片２とシート片３との間、シート片３とシート片４との間が簡単に見開きできるようになる。また、前記摘み片９を起こす前の時点ではそれぞれシート片２やシート片４の表面は平坦であり、郵送過程に他の葉書などのが引っ掛って剥離するということは生じない。
【０００９】
上記各実施の例では折り部を介して連接した三シート片を用いて重ね合わせ接着用シート１が構成されているものであるが、本発明はこれに限定されるものではなく、図４に示すように折り部５を介して連接された二枚のシート片２、３から重ね合わせ接着用シート１を構成し、これを折り重ねて重ね合わせシート１４を得ることも可能である。
さらに図５に示すように、シート片３に重ね合わされるシート片２に、折り部５側を除く三周辺を剥離困難に接着するものとしその内側に沿って切り取りミシン目１５が穿設されているものとするとともに、その切り取りミシン目１５よりシート片中心側に上記スリット１０よりなる摘み片９を切り込み形成して、この重ね合わせ接着用シート１から重ね合わせシート１４を得るようにしてもよい。そして、上記二例では強接着手段１３は必ず必要とするものではない。
【００１０】
【発明の効果】
以上説明したように、本発明の重ね合わせ接着用シートによれば、複数枚のシート片からなり、シート片それぞれは該シート片を重ね合わせた時の対向面の少なくとも一方に所要の接着条件の付与により剥離可能に接着する弱接着手段が設けられた重ね合わせ接着用シートであって、シート片を重ね合わせたときに外部に位置するシート片の見開き辺側の一隅に、シート片中心側に向けて凸となるように曲成されたスリットにより摘み片が捲り上げ可能に切り込み形成され、前記スリットの両端部それぞれが、該両端部の間に対して逆方向に曲成されていることを特徴とするものであることから、重ね合わせ接着用シートに指掛かり形成用の孔が生じず、電子写真方式のプリント装置などに対するプリンタ適性が向上し、感光体の寿命を短くすることなく適正に情報出力が行なえるようになる。さらに、見開き時に摘み部分となる摘み片を切り込み形成しているため、その摘み片部分に段差を形成しない重ね合わせシートが得られるようになり、重ね合わせシートの郵送過程などにおいて指掛かり部分への引っ掛かりによる剥離トラブルを防止できる。そしてスリットの両端が開くように曲成されているため、摘み片を引張ったときにシートが裂け難いなど、実用性に優れた効果を奏するものである。
【図面の簡単な説明】
【図１】本発明に係る重ね合わせ接着用シートの一例を示すもので、（イ）は一方の片面を示す説明図、（ロ）は他方の片面を示す説明図である。
【図２】同じく重ね合わせ接着用シートの一例による重ね合わせを示すもので、（イ）は切断前の重ね合わせ状態を示す説明図、（ロ）は切断除去した後の重ね合わせシートを示す説明図である。
【図３】摘み片による引き起こしを示す説明図である。
【図４】重ね合わせ接着用シートの他の例を示すもので、（イ）は展開状態の重ね合わせ接着用シートを示す説明図、（ロ）は重ね合わせシートを示す説明図である。
【図５】他の例による重ね合わせシートを示す説明図である。
【図６】従来の重ね合わせシートを示す説明図である。
【図７】従来の打ち抜き孔を有するシートを示す説明図である。
【符号の説明】
１…重ね合わせ接着用シート
２、３、４…シート片
６…対向面
７…弱接着手段
９…摘み片
１０…スリット
１１…端部
１４…重ね合わせシート
【図１】
0004138160.tif 000002
【図２】
0004138160.tif 000003
【図３】
0004138160.tif 000004
【図４】
0004138160.tif 000005
【図５】
0004138160.tif 000006
【図６】
0004138160.tif 000007
【図７】
0004138160.tif 000008